(57)【要約】【課題】取得画像と対応する付随情報画像との合成画像を表示する際に操作性を損なわず常に適切な表示を行ない得る合成画像データを取得する撮像装置を提供する。【解決手段】対象物の光学像を受けて画像データを生成し出力する撮像部１３と、撮像部から出力された画像データに基く画像と各種情報を表示する表示部１７と、端末装置４０との間で通信を行い対象物に関する付随情報を取得する通信部１９と、表示部に表示中の画像内に対応する付随情報に基く画像を重畳表示させる表示制御部２４とを具備し、表示制御部は表示部の表示画面内において予め指定された位置に付随情報に基く画像を表示させる表示制御を行う。【選択図】図１
2018113013.tif 000002
【特許請求の範囲】
【請求項１】
対象物の光学像を受けて画像データを生成し出力する撮像部と、
上記撮像部から出力された上記画像データに基く画像と各種情報を表示する表示部と、  端末装置との間で通信を行って上記対象物に関する付随情報を取得する通信部と、
上記表示部に表示中の画像内に、当該画像に対応する上記付随情報に基く画像を、重畳表示させる表示制御部と、
を具備し、
上記表示制御部は、上記表示部の表示画面内において、予め指定された位置に、上記付随情報に基く画像を表示させる表示制御を行うことを特徴とする撮像装置。
【請求項２】
上記付随情報に基く画像の表示画面内における表示位置及び表示サイズを変更する操作を行う操作部を、さらに具備し、
上記表示制御部は、上記操作部による表示変更操作に応じて上記付随情報に基づく画像の表示画面内における表示位置及び表示サイズを変更する表示制御を行うことを特徴とする請求項１に記載の撮像装置。
【請求項３】
上記通信部は、上記操作部による表示変更操作に応じて上記表示制御部により変更された上記付随情報に基づく画像の表示画面内における表示位置及び表示サイズの情報を、上記端末装置へと転送することを特徴とする請求項２に記載の撮像装置。
【請求項４】
上記撮像部から出力される画像データと、この画像データに対応する上記付随情報とを関連付けて記録する記録部を、さらに具備することを特徴とする請求項１に記載の撮像装置。
【請求項５】
上記撮像部から出力される画像データと、対応する上記付随情報に基く付随情報画像の画像データとを合成して合成画像データを生成する合成画像作成部を、さらに具備し、
上記記録部は、上記合成画像作成部にて生成された合成画像データを記録することを特徴とする請求項４に記載の撮像装置。
【請求項６】
上記合成画像データから合成画像の改竄を検出するための検出値を照合情報として算出する照合情報作成部を、さらに具備することを特徴とする請求項５に記載の撮像装置。
【請求項７】
上記記録部は、上記合成画像データと上記照合情報とを関連付けて記録することを特徴とする請求項６に記載の撮像装置。
【請求項８】
上記通信部は、上記合成画像データを上記端末装置に転送し、
その転送の際には、上記合成画像データと上記照合情報とを関連付けて転送することを特徴とする請求項６に記載の撮像装置。
【請求項９】
上記表示制御部は、上記表示部に表示中の画像内に上記付随情報画像を重畳表示する際には、上記合成画像データに基く画像に含まれる上記付随情報画像とは異なる画像を表示させる表示制御を行うことを特徴とする請求項１に記載の撮像装置。
【請求項１０】
上記表示制御部は、上記付随情報に基く画像を簡略化した形態の画像を、上記表示部に表示中の画像内に重畳表示させることを特徴とする請求項９に記載の撮像装置。
【請求項１１】
予め設定された記録画像サイズ情報と、上記操作部により設定された付随情報画像のサイズ情報とに基いて、上記付随情報画像のサイズが適切か否かの判定を行う分解能判定部を、さらに具備し、
上記表示制御部は、上記分解能判定部による判定結果が否である場合に上記表示部の表示画面上に所定の警告表示を表示する制御を行うことを特徴とする請求項２に記載の撮像装置。
【請求項１２】
上記分解能判定部は、上記操作部により設定された上記付随情報画像サイズが、予め規定されている最小値よりも小である場合に、上記操作部により設定された上記付随情報画像サイズが不適であるものとし、判定結果を否であると判定することを特徴とする請求項１１に記載の撮像装置。
【請求項１３】
上記表示制御部は、上記分解能判定部による判定結果が否である場合に、上記警告表示を行うと同時に、さらに、上記付随情報画像サイズの再設定操作を促す表示を行うことを特徴とする請求項１１に記載の撮像装置。
【請求項１４】
対象物の光学像を受けて画像データを生成し出力する撮像部と、上記撮像部から出力された上記画像データに基く画像と各種情報を表示する表示部と、端末装置との間で通信を行って上記対象物に関する付随情報を取得するボディ側通信部と、上記表示部に表示中の画像内において当該画像に対応する上記付随情報に基く画像を予め指定された位置に重畳表示させる表示制御部とを具備する撮像装置と、
上記撮像装置との間で上記ボディ側通信部を介して通信を行う端末側通信部と、複数の撮像対象物に関する複数の付随情報を含む記録対象イベントに関する情報データ群を記録する記録部と、上記記録部に記録されている上記情報データ群に基いて個々の撮像対象物のそれぞれに関する付随情報に基く付随情報画像を作成する画像処理部とを具備する端末装置と、
を備えて構成されていることを特徴とする撮像システム。
【請求項１５】
上記端末装置は、さらに、上記撮像装置により取得される画像データと、この画像データに対応する上記付随情報画像を表す画像データとを関連付けて記録する記録部を、さらに具備することを特徴とする請求項１４に記載の撮像システム。
【請求項１６】
上記撮像装置により取得される画像データと、この画像データに対応する上記付随情報画像を表す画像データとを合成した合成画像データを生成する合成画像作成部を、さらに具備することを特徴とする請求項１４に記載の撮像システム。
【請求項１７】
上記端末装置は、上記合成画像データから合成画像の改竄を検出するための検出値を照合情報として算出する照合情報作成部を、さらに具備することを特徴とする請求項１６に記載の撮像システム。
【請求項１８】
上記端末装置の上記記録部は、上記合成画像データと上記照合情報とを関連付けて記録することを特徴とする請求項１７に記載の撮像システム。
【請求項１９】
複数の撮像対象物に関する複数の付随情報を含む記録対象イベントに関する情報データ群に基いて個々の撮像対象物のそれぞれに対応する複数の付随情報画像を作成し、
上記端末装置と上記撮像装置との間で上記複数の付随情報画像を転送し、
上記撮像対象物の光学像を受けて画像データを生成し、
上記画像データに基く画像を表示すると共に上記複数の付随情報画像のうち上記表示中の画像に対応する特定の付随情報画像を表示画面内において予め指定された位置に重畳表示させ、
上記表示中の画像を表す画像データと、この画像データに対応する上記付随情報画像を表すデータとを関連付けて記録することを特徴とする撮像方法。
【請求項２０】
複数の撮像対象物に関する複数の付随情報を含む記録対象イベントに関する情報データ群に基いて個々の撮像対象物のそれぞれに対応する複数の付随情報画像を作成し、
上記撮像対象物の光学像を受けて画像データを生成し、
上記画像データに基く画像を表示すると共に、上記複数の付随情報画像のうち上記表示中の画像に対応する特定の付随情報画像を表示画面内において予め指定された位置に重畳表示させ、
上記表示中の画像を表す画像データと、この画像データに対応する上記付随情報画像を表すデータとを関連付けて記録することを特徴とする撮像プログラム。
【請求項２１】
対象物の光学像を受けて画像データを生成し出力する撮像部からの画像データに基く画像と各種情報を表示する表示部と、
端末装置との間で通信を行って上記対象物に関する付随情報を取得する通信部と、
上記表示部に表示中の画像内に、当該画像に対応する上記付随情報に基く画像を、重畳表示させる表示制御部と、
を具備し、
上記表示制御部は、上記表示部の表示画面内において、予め指定された位置に、上記付随情報に基く画像を表示させる表示制御を行うことを特徴とする撮像用表示装置。
【請求項２２】
上記付随情報に基く画像の表示画面内における表示位置及び表示サイズを変更する操作を行う操作部を、さらに具備し、
上記表示制御部は、上記操作部による表示変更操作に応じて上記付随情報に基づく画像の表示画面内における表示位置及び表示サイズを変更する表示制御を行うことを特徴とする請求項２１に記載の撮像用表示装置。
【請求項２３】
上記通信部は、上記操作部による表示変更操作に応じて上記表示制御部により変更された上記付随情報に基づく画像の表示画面内における表示位置及び表示サイズの情報を、上記端末装置へと転送することを特徴とする請求項２２に記載の撮像用表示装置。
【発明の詳細な説明】
【技術分野】
【０００１】
この発明は、対象物の画像を取得する際に、その対象物に関連する付随情報をタグデータとして記録し得る撮像装置，撮像システム，撮像方法，撮像プログラム，撮像用表示装置に関するものである。
【背景技術】
【０００２】
従来、撮像光学系により結像された光学像を光電変換素子等（以下、撮像素子という）を用いて順次光電変換し、これにより得られた画像信号を所定の形態のデジタル画像データとして記憶媒体に記録すると共に、当該デジタル画像データに基いて静止画像又は動画像を表示する画像表示装置等を備えて構成された撮像装置等が一般に実用化され広く普及している。
【０００３】
この種の撮像装置等は、例えば各種の行事（イベント）や作業等における一連の行為や経過状況若しくは工程等を記録するために、記録対象とする行事や工事等（以下、「記録対象工事等」と略記する）における様々な場面や特定対象物の変化等を画像（写真）として経時的に順次記録するといった用途に利用されることがある。
【０００４】
この場合において記録対象工事等としては、具体的には例えば、冠婚葬祭等の各種の行事記録や、土木工事，建築工事等の工事経過状況記録等のほか、各種製造物や工作物等の製造制作作業の工程記録等である。
【０００５】
従来において、例えば、土木工事や建築工事等の工事状況経過記録を行う際には、記録対象工事等の段階毎に画像を取得することになる。その場合において、当該画像に関連する情報、即ち記録対象工事等の状況説明情報等の付随情報を、当該画像と共に関連付けて記録するといったことが行われている。
【０００６】
ここで、上記記録対象工事等の状況説明情報としては、例えば日付や場所等の基本情報と、記録対象工事等に関する特定情報（工事名，作業名，対象物名，会社名，その他のメモ等）等がある。
【０００７】
従来においては、所望の対象物を撮像する際に、これらの情報を記載した実体のある黒板若しくは電子的なデータに基いて生成される黒板画像を、対象物と同一の画面内に写し込むように撮像するということが行われている。
【０００８】
このようにして取得された大量の画像データは、記録対象工事等の進行中における途中経過報告や、当該記録対象工事等の終了時や完了時における結果報告等の際に、適宜整理され利用されることになる。
【０００９】
近年、上記撮像装置によって取得された大量の画像データを取り扱うのに際しては、例えば、小型の個人用情報端末機器（いわゆるパーソナルコンピュータ；以下、「ＰＣ」と略記する）等が広く利用されている。
【００１０】
しかしながら、必要とする複数の画像データを漏れなく記録し（撮像装置による作業）、取得された大量の画像データを分類し整理する（ＰＣによる作業）までの一連の作業は、非常に煩雑なものである。
【００１１】
そこで、大量の画像データ（例えば工事現場の画像データ）を撮像（記録）し、分類し、整理するための一連の作業における各種工程の一部を自動化することで、大量の画像データの整理を簡素化するための工夫を施した撮像装置とＰＣとからなる撮像システムを用いて行う撮像方法や、当該撮像システムに適用される撮像プログラムについては、例えば特開２０１４−１５７５９６号公報等によって、種々の提案がなされている。
【００１２】
上記特開２０１４−１５７５９６号公報等によって開示されている手段は、工事作業の工程を記録した大量の画像データを自動的に整理するプログラムである。当該公報によって開示されているプログラムは、予め各種の情報（黒板情報という）を電子的な情報データ（黒板情報データという）として記憶しておき、この黒板情報データに基いて所定の黒板画像を生成し、この黒板画像をライブビュー画像に重畳表示させ、シャッタボタンが押されたときに画像データを取得する際には、対応する黒板画像を重畳した黒板合成画像データを作成すると共に、上記取得された画像データに対応する黒板情報データを当該画像データに関連付けて記録する。さらに、当該プログラムは、上述のようにして生成された複数の黒板合成画像データを、黒板情報データに基いて対応フォルダに分類して保存するというものである。
【先行技術文献】
【特許文献】
【００１３】
【特許文献１】特開２０１４−１５７５９６号公報
【発明の概要】
【発明が解決しようとする課題】
【００１４】
ところが、上記特開２０１４−１５７５９６号公報等によって開示されている手段は、取得画像データと黒板画像とを合成して黒板合成画像データを生成する処理を撮像装置内において行う構成としている。この構成の場合、所望の画像内に対する黒板画像の配置等の調整操作は、撮像装置の小型の表示装置の画面上で行うことになる。したがって、良好な操作性を得ることができないという問題点がある。
【００１５】
さらに、上記公報に記載の技術が適用される撮像装置としては、いわゆるスマートフォン等の形態のものが想定されている。しかしながら、一般的なスマートフォン等は、工事現場等の過酷環境下での使用を想定しておらず、そのような過酷環境下で使用するには機器の故障等の問題が生じる可能性もある。
【００１６】
これに加えて、一般的なスマートフォン等において適用される撮像素子や撮像光学系の性能には限界があるため、画像取得性能（例えば耐高感度特性，高倍率ズーム機能等）が、一般的な撮像装置に対し劣る面がある。例えば、建物やトンネル内等の低照度環境下での使用には、鮮明な画像を得ることができないことがある。つまり、工事現場等の過酷環境下においては、一般的なスマートフォン等を工事記録用撮像装置として使用するのは、問題点が多いと言える。
【００１７】
また、撮像装置において、合成する黒板画像の調整を行う際に、黒板画像のサイズを画面サイズに比べて小さく設定してしまうと、当該撮像装置において設定されている記録画像サイズによっては、黒板画像を鮮明に表示することができない場合もあり得る。
【００１８】
これに加えて、さらに、当該画像を含めた報告書等を作成し、これを印刷した場合においても、印刷解像度が不足して、印刷物上の黒板画像内に記載されている各種情報を読み取れない等といった問題が生じる。
【００１９】
さらに、これら工事状況について記録された画像データは、コンピュータ等で容易に加工できるため、証跡としての画像データの信頼性を担保するために、画像ファイルの改竄を検証する構成を有していることが望まれる。
【００２０】
本発明は、上述した点に鑑みてなされたものであって、その目的とするところは、所望の対象物を撮像して画像データを取得する際に、当該対象物に関連する付随情報を当該画像データに関連付けて記録し得る撮像装置，撮像システム，撮像方法，撮像プログラムにおいて、取得した画像データに基く画像と、この画像データに対応する付随情報を表す画像とを合成した合成画像を表示装置を用いて表示する際に、操作性を損なうことなく、合成画像データに改竄が存在するかを検証可能で、かつ常に適切な表示を行なうことのできる合成画像データを取得し得る撮像装置，撮像システム，撮像方法，撮像プログラム，撮像用表示装置を提供することである。
【課題を解決するための手段】
【００２１】
上記目的を達成するために、本発明の一態様の撮像装置は、対象物の光学像を受けて画像データを生成し出力する撮像部と、上記撮像部から出力された上記画像データに基く画像と各種情報を表示する表示部と、端末装置との間で通信を行って上記対象物に関する付随情報を取得する通信部と、上記表示部に表示中の画像内に、当該画像に対応する上記付随情報に基く画像を、重畳表示させる表示制御部とを具備し、上記表示制御部は、上記表示部の表示画面内において、予め指定された位置に、上記付随情報に基く画像を表示させる表示制御を行う。
【００２２】
また、本発明の一態様の撮像システムは、対象物の光学像を受けて画像データを生成し出力する撮像部と、上記撮像部から出力された上記画像データに基く画像と各種情報を表示する表示部と、端末装置との間で通信を行って上記対象物に関する付随情報を取得するボディ側通信部と、上記表示部に表示中の画像内において当該画像に対応する上記付随情報に基く画像を予め指定された位置に重畳表示させる表示制御部とを具備する撮像装置と、上記撮像装置との間で上記ボディ側通信部を介して通信を行う端末側通信部と、複数の撮像対象物に関する複数の付随情報を含む記録対象イベントに関する情報データ群を記録する記録部と、上記記録部に記録されている上記情報データ群に基いて個々の撮像対象物のそれぞれに関する付随情報に基く付随情報画像を作成する画像処理部とを具備する端末装置と、を備えて構成されている。
【００２３】
本発明の一態様の撮像方法は、複数の撮像対象物に関する複数の付随情報を含む記録対象イベントに関する情報データ群に基いて個々の撮像対象物のそれぞれに対応する複数の付随情報画像を作成し、上記端末装置と上記撮像装置との間で上記複数の付随情報画像を転送し、上記撮像対象物の光学像を受けて画像データを生成し、上記画像データに基く画像を表示すると共に上記複数の付随情報画像のうち上記表示中の画像に対応する特定の付随情報画像を表示画面内において予め指定された位置に重畳表示させ、上記表示中の画像を表す画像データと、この画像データに対応する上記付随情報画像を表すデータとを関連付けて記録する。
【００２４】
本発明の一態様の撮像プログラムは、複数の撮像対象物に関する複数の付随情報を含む記録対象イベントに関する情報データ群に基いて個々の撮像対象物のそれぞれに対応する複数の付随情報画像を作成し、上記撮像対象物の光学像を受けて画像データを生成し、上記画像データに基く画像を表示すると共に、上記複数の付随情報画像のうち上記表示中の画像に対応する特定の付随情報画像を表示画面内において予め指定された位置に重畳表示させ、上記表示中の画像を表す画像データと、この画像データに対応する上記付随情報画像を表すデータとを関連付けて記録する。
【００２５】
本発明の一態様の撮像用表示装置は、対象物の光学像を受けて画像データを生成し出力する撮像部からの画像データに基く画像と各種情報を表示する表示部と、端末装置との間で通信を行って上記対象物に関する付随情報を取得する通信部と、上記表示部に表示中の画像内に、当該画像に対応する上記付随情報に基く画像を、重畳表示させる表示制御部とを具備し、上記表示制御部は、上記表示部の表示画面内において、予め指定された位置に、上記付随情報に基く画像を表示させる表示制御を行う。
【発明の効果】
【００２６】
本発明によれば、所望の対象物を撮像して画像データを取得する際に、当該対象物に関連する付随情報を当該画像データに関連付けて記録し得る撮像装置，撮像システム，撮像方法，撮像プログラムにおいて、取得した画像データに基く画像と、この画像データに対応する付随情報を表す画像とを合成した合成画像を表示装置を用いて表示する際に、操作性を損なうことなく、合成画像データに改竄が存在するかを検証可能で、かつ常に適切な表示を行なうことのできる合成画像データを取得し得る撮像装置，撮像システム，撮像方法，撮像プログラム，撮像用表示装置を提供することができる。
【図面の簡単な説明】
【００２７】
【図１】本発明の一実施形態の撮像装置と、この撮像装置を適用する撮像システムの構成を概略的に示すシステムブロック構成図
【図２】図１の撮像システム全体の構成を簡略的に示す概念図
【図３】図１の撮像システムを使用して対象記録工事等の記録操作を行う際のようすを示す概念図
【図４】図１の撮像システムにおける端末装置にて作成される黒板仕様データの表示形態の一例を示す図
【図５】図１の撮像システムにおける撮像装置にてライブビュー画像に重畳表示される黒板仕様データに基く簡易黒板画像の表示形態の一例を示す図
【図６】図１の撮像システムにおける撮像装置にてライブビュー画像に重畳表示される黒板仕様データの表示形態の一例であって、黒板仕様データによる黒板画像サイズの設定が小さ過ぎた場合に出現する警告表示の一例を示す図
【図７】図１の撮像システムにおいて撮像装置にて取得した画像データと対応する黒板仕様データに基いて端末装置にて表示される黒板画像付き合成画像の表示形態の一例を示す図
【図８】図１の撮像システムを使用して作成される記録報告書の一例を示す図
【図９】図１の撮像装置において、取得される画像データから対象物の寸法値を算出する場合の概念図
【図１０】図１の撮像システムにおいて行われる資料作成シーケンスのフローチャート
【図１１】図１の撮像システムにおける撮像装置の作用を示すフローチャート
【図１２】図１の撮像システムにおける端末装置の作用を示すフローチャート
【図１３】図１２のステップＳ５２にて分岐した先のフローチャート
【図１４】図１２のステップＳ５８にて分岐した先のフローチャート
【発明を実施するための形態】
【００２８】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２９】
本発明の一実施形態の撮像装置は、例えば撮像光学系により結像された光学像を、例えばＣＣＤ（Charge Coupled Device；電荷結合素子）イメージセンサーやＣＭＯＳ（Complementary Metal Oxide Semiconductor；相補性金属酸化膜半導体）型イメージセンサー等の光電変換素子等（以下、撮像素子という）を用いて順次光電変換し、これにより得られた画像信号を所定の形態の画像データ（例えば静止画像又は動画像を表わすデジタル画像データ）として記憶媒体に記録すると共に、この記憶媒体に記録されたデジタル画像データに基いて静止画像又は動画像を再生表示する画像表示装置、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等を備えて構成された撮像装置であって、具体的には例えばデジタルカメラ等を例示する。
【００３０】
また、本発明の一実施形態の撮像システムは、上記撮像装置と、当該撮像装置と連携させて使用する小型の個人用情報端末機器であって他の電子機器との間で無線通信を行って各種データの送受信を行ない得る端末装置、例えばパーソナルコンピュータ（デスクトップ型ＰＣまたはノート型ＰＣあるいはタブレット型ＰＣ若しくはスマートフォン等によって構成される形態のシステムを例示する。
【００３１】
この撮像システムは、無線通信若しくは有線通信によって接続するネットワーク、例えばインターネット若しくはローカルエリアネットワーク等を利用して、上記撮像装置と上記端末装置との間で各種データの送受信を行うことができるように構成されているものである。
【００３２】
そして、本発明の一実施形態の撮像装置及び撮像システムは、具体的には例えば、土木工事や建築工事等の工事現場における各種様々な場面や特定対象物の作業段階による経時変化等を記録対象工事の経過状況等の記録を行うのに適した工事写真用撮像装置及び工事写真用撮像システムを例示している。
【００３３】
［一実施形態］
まず、本発明の一実施形態の撮像装置と、この撮像装置を適用する撮像システムの構成を、図１，図２を用いて以下に説明する。図１は、本発明の一実施形態の撮像装置と、この撮像装置を適用する撮像システムの構成を概略的に示すシステムブロック構成図である。図２は、本実施形態の撮像システム全体の構成を簡略的に示す概念図である。
【００３４】
本発明の一実施形態の撮像装置１０を適用する撮像システム１は、図１に示すように、撮像装置１０と、端末装置４０と、外部サーバ６０とによって構成される。
【００３５】
撮像装置１０と端末装置４０とは、近距離無線通信若しくは有線通信等の既存の通信手段７１（詳細後述）を用いて互いの間でデータの送受信を行ない得るように構成されている（詳細後述）。また、端末装置４０と外部サーバ６０とは、既存のネットワーク７０を介した無線通信若しくは有線通信によって互いにデータの送受信を行ない得るように構成されている。図１，図２のネットワーク７０の例示は、無線通信し得る構成のインターネット等の無線ネットワークを想定して図示している。
【００３６】
撮像装置１０は、ボディユニット１１と、レンズユニット３１とによって構成される。ボディユニット１１とレンズユニット３１とは、別体若しくは一体に構成されている。つまり、本実施形態の撮像装置１０は、レンズユニット３１がボディユニット１１に対して着脱自在に構成されている形態のレンズ交換式の撮像装置、若しくはボディユニット１１とレンズユニット３１とが一体に構成されたレンズ固定式の撮像装置のいずれの形態のものでも適用することができる。
【００３７】
本実施形態の撮像装置１０は、例えば土木工事や建築工事等の工事現場等の過酷環境下においても使用し得るように、充分な防水，防塵，耐衝撃，耐荷重，耐低温等の各種の性能を備えて構成されているものである。なお、これらの各種性能を実現するための具体的な構成については、本発明に直接関連しない部分であるので、従来一般に普及している撮像装置等の電子機器において適用されているものと同じ構成を採るものとし、それらの構成についての詳細説明は省略する。
【００３８】
ボディユニット１１は、画像処理部１２と、撮像部１３と、レンズ制御部１４と、ボディ側第１通信部１５（図１では「Ｂ１通信部」と略記している）と、センサ部１６と、撮像装置側表示部１７（図１では「撮像装置側」を省略している。以下、これに準じて呼称する）と、撮像装置側操作部１８（図１では「撮像装置側」を省略している。以下、これに準じて呼称する）、ボディ側第２通信部１９（図１では「Ｂ２通信部」と略記している）と、撮像装置側記録部２０（図１では「撮像装置側」を省略している。以下、これに準じて呼称する）と、表示制御部２４等を有して構成されている。
【００３９】
画像処理部１２は、撮像部１３から出力される画像データや、端末装置４０から転送された黒板情報データ等を受けて各種の信号処理を行う処理回路である。この画像処理部１２は、合成画像作成部２１と、ファイル作成部２２と、分解能判定部２３等を有して構成されている。
【００４０】
合成画像作成部２１は、撮像部１３から出力される画像データと、この画像データに含まれる対象物の付随情報である黒板情報データとを関連付ける処理等を行う処理回路である。この合成画像作成部２１によって画像データと黒板情報データとが関連付けられることによって、これらの各データが端末装置４０へと転送されたとき、当該端末装置４０側（の画像処理部４５）において、所定の画像合成処理等が行われて、黒板画像（付随情報画像）付きの合成画像データが作成されることになる。なお、上記黒板情報データは、黒板画像の仕様を決定するデータであることから、以下黒板仕様データというものとする。
【００４１】
ファイル作成部２２は、画像データと対応する関連付けられた黒板仕様データとを一つの画像ファイルとしてファイル化するための回路部である。
【００４２】
分解能判定部２３は、当該撮像装置１０において設定されている記録画像サイズの情報と、設定された黒板画像のサイズ情報とに基いて、黒板画像サイズが適切か否かの判定を行う回路部である。つまり、当該分解能判定部２３において行われる判定は、具体的には、例えば所定の画像データに対応する黒板画像を合成処理したときに、当該画像データ中に合成された黒板画像の分解能（Optical resolution）、即ち黒板画像中に記載されている黒板情報（文字情報）の識別能力（確実に読み取れるか否か）の判定等である。
【００４３】
照合情報作成部２５は、合成画像データの改竄を防止するための照合情報を作成する。照合情報としては、例えば合成画像データを元にしたハッシュ値を作成する。ハッシュ値(hash code)とは、元となるデータに対して、ハッシュ関数（hash function）と呼ばれる所定の演算処理をすることにより求められる値である。代表的なハッシュ関数として、SHA-1やSHA-2、MD5などが知られている。ハッシュ値は、メッセージダイジェスト（message digest）やフィンガープリント（finger print、指紋）と呼ばれることもある。
【００４４】
撮像部１３は、レンズユニット３１を介して結像される対象物の光学像を受けて光電変換を行って画像信号を生成する光電変換素子（以下、撮像素子という）等と、この撮像素子を駆動する駆動回路と、上記撮像素子から出力される画像信号（アナログ信号）を受けて所定の形態の画像データ（デジタル信号）を生成するアナログデジタル変換回路など各種の電子回路などによって構成されている。この撮像部１３自体は、従来一般に普及している撮像装置と同じ構成のものが適用される。
【００４５】
レンズ制御部１４は、レンズユニット３１を制御する制御回路である。このレンズ制御部１４は、ボディ側第１通信部１５及びレンズ側通信部３４とを介してレンズユニット３１の後述するＡＦ部３２，ズーム部３３等を制御して、レンズユニット３１の自動焦点調節動作やズーム動作等のほか、不図示の絞り制御若しくはシャッタ制御（レンズシャッタの場合）等を行なう。
【００４６】
ボディ側第１通信部（Ｂ１通信部）１５は、ボディユニット１１側に設けられる第１の通信部である。このボディ側第１通信部１５は、ボディユニット１１とレンズユニット３１（のレンズ側通信部３４）との間で制御信号やデータ等の送受信を行うための回路部である。
【００４７】
センサ部１６は、当該撮像装置１０の状態（横縦姿勢等）を検出する加速度センサ及びその検出回路等のほか、当該撮像装置１０に加わる微振動を検出し振れ補正制御を行うためのジャイロセンサや、後述する表示部１７における背面モニタと電子ビューファインダとの切り換えを行うためのアイセンサ等、適宜必要とする各種センサ及び対応する検出回路等を含んで構成される回路部である。
【００４８】
表示部１７は、撮像部１３からの出力信号を受けて撮像画像（ライブビュー画像）を順次連続的に表示させたり、記録部２０の記憶媒体に記録済みの画像データに基く画像を表示させたり、当該撮像装置１０における設定を行うためのメニュー画像等を、適宜切り換えて表示するための表示ユニットである。この表示部１７としては、撮像装置１０の背面に設けられる背面モニタや電子ビューファインダ（ＥＶＦ：Electric View Finder）等がある。
【００４９】
操作部１８は、撮像装置側の各種操作を行う複数の操作部材と、これら複数の操作部材の作用を受ける電気部品としての複数のスイッチ部材と、これら複数のスイッチ部材等を含む電気回路部を有して構成される。この操作部１８としては、押しボタン式，スライド式，回転式等の各種形態の機械式スイッチ部品等のほか、表示部１７の表示面上に設けられるタッチパネル等がある。
【００５０】
ボディ側第２通信部（Ｂ２通信部）１９は、ボディユニット１１側に設けられる第２の通信部である。このボディ側第２通信部１９は、ボディユニット１１と端末装置４０（の端末側第１通信部４１；詳細後述）との間で画像データ，黒板仕様データ等の各種データの送受信を行うための回路部である。
【００５１】
記録部２０は、撮像部１３によって取得され画像処理部１２において所定の信号処理が施された記録用の画像データを記憶させる記憶媒体（不図示）と、この記憶媒体を駆動する駆動回路等によって構成される構成ユニットである。
【００５２】
表示制御部２４は、上記表示部１７の駆動制御を行う回路部である。当該表示制御部２４は、例えば操作部１８からの操作信号を受けて表示部１７に表示する表示内容の切り換え制御を行ったり、上記背面モニタと上記電子ビューファインダとの切り換え制御等を行う。また、表示制御部２４は、ライブビュー画像の制御等も行う。例えば、撮像部１３からの出力を受けて表示部１７にライブビュー画像を表示するとき、このライブビュー画像の表示画面上に、所定の黒板画像を重畳表示させる等の表示制御を行う。この場合において、黒板画像を表示する位置やサイズの表示制御もまた、予め指定されたデータに基いて当該表示制御部２４が行う。
【００５３】
さらに、表示制御部２４は、操作部１８からの操作入力を受けて、黒板画像の表示画面内における表示位置や表示サイズを変更する表示制御も行う。具体的には、例えば、ライブビュー画像中に黒板画像を重畳表示させている状態で、使用者が、操作部１８に含まれるタッチパネル上に任意の位置をタップ操作すると、黒板画像の位置が表示中の位置から指定した位置へと移動させるように表示制御される。また、表示中の黒板画像をタップ操作すると、黒板画像の大きさが変化するように表示制御される等である。なお、このような操作を行うことによって、黒板画像の位置や大きさの設定変更を行った場合には、変更された位置，大きさ等の設定情報は、上記画像処理部１２等に置いて更新された後、Ｂ２通信部１９を介して端末装置４０側へと送信されて、後述する記録部４４の黒板仕様データ５２も更新されるようにしてもよい。
【００５４】
レンズユニット３１は、被写体の光学像を生成するための構成ユニットである。このレンズユニット３１は、複数の光学レンズ等からなる撮像光学系（不図示）と、撮像光学系の各光学レンズを保持する複数の保持部材（不図示）と、これら複数の保持部材の一部を進退又は回転駆動させるための駆動機構（不図示）等と、この駆動機構を駆動制御するための回路部（ＡＦ部３２，ズーム部３３等）と、レンズ側通信部３４（図１では「Ｌ通信部」と略記している）等を有して構成されている。なお、図示を省略しているが、当該レンズユニット３１には、絞り機構部等のほか、必要に応じてレンズシャッタ機構部等を有している。これら不図示の機構部については、本発明に直接関連しない部分であるので、従来一般に普及している撮像装置のレンズユニットに適用されているものと同じ構成を採るものとし、それらの構成についての詳細説明は省略する。
【００５５】
このうちＡＦ部３２は、ボディユニット側のレンズ制御部１４からの制御信号を受けて上記駆動機構（不図示）を駆動させることにより、自動焦点調節（ＡＦ；Auto Focus）動作を実現する回路部である。
【００５６】
ズーム部３３は、ボディユニット側のレンズ制御部１４からの制御信号を受けて上記駆動機構（不図示）を駆動させることにより、変倍（Zoom）動作を実現する回路部である。
【００５７】
レンズ側通信部（Ｌ通信部）３４は、レンズユニット３１側に設けられる通信部である。このレンズ側通信部３４は、ボディユニット１１（のボディ側第１通信部１５）とレンズユニット３１との間で制御信号やデータ等の送受信を行うための回路部である。
【００５８】
一方、端末装置４０は、本撮像システム１においては、上記撮像装置１０との間で、通信手段７１（詳細後述）を介して通信を行うことにより互いに連携して使用される小型の個人用情報端末機器である。端末装置４０は、例えばパーソナルコンピュータ（デスクトップ型ＰＣ，ノート型ＰＣ，タブレット型ＰＣ）やスマートフォン等、従来一般に普及し実用化されている電子機器を利用する。これら一般的な形態の端末装置４０において、本発明の一実施形態の撮像プログラムを適用することにより、本発明の一実施形態の撮像システム１が構成されることになる。
【００５９】
なお、上記撮像装置１０は、当該撮像装置１０の全体を統括し、かつ当該撮像装置１０の内部構成ユニット等のそれぞれを個々に制御する制御部（不図示）を有している。
【００６０】
上記端末装置４０は、端末側第１通信部４１（図１では「Ｄ１通信部」と略記している）と、端末側表示部４２（図１では「端末側」を省略している。以下、これに準じて呼称する）と、端末側操作部４３（図１では「端末側」を省略している。以下、これに準じて呼称する）と、端末側記録部４４（図１では「端末側」を省略している。以下、これに準じて呼称する）と、端末側画像処理部４５（図１では「端末側」を省略している。以下、これに準じて呼称する）と、端末側第２通信部４６（図１では「Ｄ２通信部」と略記している）と、位置情報時計情報部４７等を有して構成されている。
【００６１】
端末側第１通信部（Ｄ１通信部）４１は、端末装置４０側に設けられる第１の通信部である。この端末側第１通信部４１は、当該端末装置４０とボディユニット１１（のボディ側第２通信部１９）との間で画像データ，黒板仕様データ等の各種データの送受信を行うための回路部である。
【００６２】
表示部４２は、端末装置４０において各種の情報を文字，画像等を用いて表示するＰＣ等において適用される一般的な形態の表示装置である。
【００６３】
操作部４３は、端末装置４０において使用者の操作を受け入れる入力操作装置である。この操作部４３の具体的な形態としては、例えばキーボード等の入力機器や、マウス，トラックボール，ジョイスティック，タッチパネル（タッチスクリーン），ペンタブレット，タッチパッド，トラックパッド，ジョイパッド等のポインティングデバイス等がある。これらの操作部４３は、ＰＣ等において適用される一般的な形態の入力操作装置である。
【００６４】
記録部４４は、端末装置４０において各種の情報を電子データとして記憶するストレージデバイス（Storage Device）である。記録部４４の具体的な形態としては、例えば半導体を用いた記憶装置や、ハードディスク装置等の磁気記憶装置等のほか、一時的な記憶をおこなう半導体メモリ等がある。この記録部４４もまた、ＰＣ等において適用される一般的な形態の記憶装置である。
【００６５】
なお、記録部４４は、例えば工事設計図面データ５１と、黒板仕様データ５２と、撮像装置仕様データ５３等の各種データが記憶される記録領域を有する。
【００６６】
ここで、工事設計図面データ５１は、記録対象工事（記録対象イベント）等の設計図面，設計仕様書等のほか当該記録対象工事等に関する各種資料等を含む固有データからなる情報データ群である。この工事設計図面データ５１は、当該端末装置４０において作成されるデータのほか、他の端末装置で作成され外部サーバ６０等に蓄積されたデータをネットワーク７０経由にてダウンロードされたデータ等である。
【００６７】
黒板仕様データ５２は、当該端末装置４０において作成される黒板画像用の情報データである。黒板仕様データ５２は、記録対象工事等に関する情報（工事設計図面データ５１）に基いて当該端末装置４０を使用して作成される。この黒板仕様データ５２は、黒板画像のテンプレート(template；雛形)画像や、当該黒板画像内に書き込まれる情報（記録対象工事等の状況説明情報；例えば日付，場所等の基本情報や工事名，作業名，対象物名，会社名，その他のメモ等の各種情報）等のほか、対象物を含む画像データに基づいて表示される画像内に黒板画像を重畳表示（合成処理）する際の表示位置（合成位置）やサイズ等を指定するための各種情報等を含むものである。この黒板仕様データ５２は、例えば、使用者による操作部４３からの操作入力を受けて、画像処理部４５等によって行われる処理の結果作成される。
【００６８】
撮像装置仕様データ５３は、当該撮像システム１において対応する特定の撮像装置１０に関する固有のデータ、例えば撮像装置１０のシリアル番号等の固有データや各種仕様データ、特にレンズユニット３１に含まれる撮像光学系（不図示）の焦点距離情報，撮像部１３に含まれる撮像素子（不図示）の受光面サイズ情報，（レンズ焦点距離と素子サイズとから算出される画角情報），記録画像サイズの情報等である。
【００６９】
画像処理部４５は、端末装置４０において画像データに関する各種のデータ処理、例えば上記黒板仕様データ５２の作成処理等のほか、表示部４２において各種の情報を適宜表示させるための表示制御処理等を行なう回路部である。なお、画像処理部４５は、上記ボディユニット１１の画像処理部１２と同様の機能をも有している。即ち、画像処理部４５は、各種の画像編集処理（合成画像作成処理やファイル作成処理等）に加え、分解能判定処理等を行う機能をも有している。
【００７０】
端末側第２通信部（Ｄ２通信部）４６は、端末装置４０側に設けられる第２の通信部である。この端末側第２通信部４６は、当該端末装置４０と外部サーバ６０との間でネットワーク７０を介して各種のデータの送受信を行うための回路部である。
【００７１】
位置情報時計情報部４７は、当該端末装置４０の位置情報と、現在時刻に関する情報等を取得し、または生成する回路部である。
【００７２】
なお、上記端末装置４０は、当該端末装置４０の全体を統括し、かつ当該端末装置４０の内部構成ユニット等のそれぞれを個々に制御する制御部（不図示）を有している。
【００７３】
外部サーバ６０は、工事設計図面データ６１と、黒板仕様データ６２と、画像データ６３等の各種各様の情報を電子データとして記憶するための記憶領域等を有するストレージ装置である。この外部サーバ６０は、例えばインターネット若しくはローカルエリアネットワーク等の既存のネットワーク（Computer network）７０を介した無線通信手段若しくは有線通信手段によって、上記撮像システム１と電気的に接続されている。
【００７４】
なお、上記工事設計図面データ６１は、端末装置４０の工事設計図面データ５１と同じものである。同様に、黒板仕様データ６２は、端末装置４０の黒板仕様データ５２と同じものである。また、画像データ６３は、撮像装置１０によって取得された画像データや、この画像データに対して各種の処理（黒板画像の合成処理等）を施した形態の画像データ等である。これらの工事設計図面データ６１，黒板仕様データ６２，画像データ６３等は、端末装置４０若しくは他の端末装置からネットワーク７０を介してアップロードされたデータである。
【００７５】
なお、上述したように、上記撮像装置１０と上記端末装置４０との間は、所定の通信手段７１によってデータの送受信を行ない得るように構成されている。この通信手段７１としては、ボディ側第２通信部１９と端末側第１通信部４１とを用いた無線通信手段（例えば近距離型無線通信（ＮＦＣ；Near field radio communication），無線ＬＡＮ（Wireless Local Area Network），ブルートゥース（登録商標）（Bluetooth）等）のほかに、図２に示すように有線ケーブル通信手段（例えばユニバーサルシリアルバス（ＵＳＢ；Universal Serial Bus）等）を適用することができる。
【００７６】
本実施形態の撮像装置１０と、この撮像装置１０を適用する撮像システム１におけるその他の構成は、従来一般の撮像装置，端末装置，外部サーバ等、個々の電子機器と同じ構成を有するものとして、その説明は省略する。
【００７７】
このように構成された本実施形態の撮像装置１０と、この撮像装置１０を適用する撮像システム１を用いて行われる作用の概略を、以下に説明する。
【００７８】
図３は、本実施形態の撮像システムを使用して対象記録工事等の記録操作を行う際のようすを示す概念図である。
【００７９】
図４は、本実施形態の撮像システムにおける端末装置にて作成される黒板仕様データの表示形態の一例を示す図である。
【００８０】
図５は、本実施形態の撮像システムにおける撮像装置にてライブビュー画像に重畳表示される黒板仕様データに基く簡易黒板画像の表示形態の一例を示す図である。
【００８１】
図６は、本実施形態の撮像システムにおける撮像装置にてライブビュー画像に重畳表示される黒板仕様データの表示形態の一例であって、黒板仕様データによる黒板画像サイズの設定が小さ過ぎた場合に出現する警告表示の一例を示す図である。
【００８２】
図７は、本実施形態の撮像システムにおいて撮像装置にて取得した画像データと対応する黒板仕様データに基いて端末装置にて表示される黒板画像付き合成画像の表示形態の一例を示す図である。
【００８３】
図８は、本実施形態の撮像システムを使用して作成される記録報告書の一例を示す図である。
【００８４】
本実施形態の撮像システム１の使用形態は、概略、以下に示す二種の使用形態が考えられる。
【００８５】
まず、記録対象工事等の現場（以下、単に現場と略記する）とは異なる場所に位置する屋内施設（以下、事務所と略記する）において端末装置４０を使用して、予め立案した計画に沿って、複数の対象物についてそれぞれに対応する複数の黒板仕様データ５２を作成し、これを当該端末装置４０の記録部４４に保存する（図２参照）。
【００８６】
ここで、端末装置４０を使用して所望の黒板仕様データ５２を作成する際のようすは、図４に示す通りである。
【００８７】
まず、端末装置４０の表示部４２に黒板画像のテンプレート画像２０１を表示させる。ここで、使用者は、このテンプレート画像２０１内の所定の位置に、所定の情報（記録対象工事等の状況説明情報；例えば日付，場所等の基本情報や工事名，作業名，対象物名，会社名，その他のメモ等の各種情報）等を書き込む。
【００８８】
この情報入力作業は、端末装置４０の操作部４３等を用いて行う。なお、この情報入力作業を行うのに際しては、黒板画像のテンプレート画像中への入力がし易いように、テンプレート画像２０１を表示画面内において拡大し、若干大きめに表示させることができる。
【００８９】
なお、上記情報入力作業は、使用者による手入力作業によるほか、次のような自動入力作業とすることもできる。上記所定の情報は、工事設計図面データ６１等として、外部サーバ６０に予め蓄積されているのが普通である。したがって、端末装置４０は、外部サーバ６０にアクセスして、それらの所定の情報をダウンロードして利用することができる。そして、端末装置４０にダウンロードされた上記所定の情報は、所定の項目毎に、上記黒板画像のテンプレート画像２０１における対応項目の欄に自動的に入力されるように構成してもよい。
【００９０】
また、黒板仕様データ５２の作成時には、対応する記録対象物を含む画像データの表示画面内において、当該黒板画像が表示される位置やサイズを指定しておくこともできる。また、記録対象物によって、縦長画像とするか横長画像とするかの適不適は、予め想定することができるので、画像データの取得時の縦位置設定若しくは横位置設定の指定を行うこともできる。
【００９１】
こうして作成された黒板仕様データ５２は、まず、端末装置４０の記録部４４に保存される。当該黒板仕様データ５２は、そのほかにも、予め撮像装置１０へと転送し、同撮像装置１０の記録部２０に保存しておいても良い。さらに、これと同時に、当該黒板仕様データ５２は、外部サーバ６０に対してアップロードしておいてもよい。
【００９２】
ここまでの作業、即ち黒板仕様データ５２の作成及び保存作業は、二種あるいずれの使用形態においても共通する作業である。
【００９３】
その後、第１使用形態では、撮像装置１０と端末装置４０との両方の機器を記録対象工事等の現場（以下、単に現場と略記する）に持ち出し、当該現場にて撮像装置１０と端末装置４０とを連携させながら使用する。
【００９４】
この場合、黒板仕様データ５２は、上述したように、端末装置４０に保存されている。また、予め撮像装置１０に黒板仕様データを転送してある場合には、同じ黒板仕様データが撮像装置１０にも保存されている。さらに、同黒板仕様データは、外部サーバ６０にも保存されている場合もある。
【００９５】
なお、第１使用形態においては、黒板仕様データは、少なくとも端末装置４０に保存されていればよい。
【００９６】
しかし、撮像装置１０と端末装置４０とのいずれか一方若しくは両方ともがネットワーク７０（この場合はインターネット）を介した外部サーバ６０との通信が可能である場合には、黒板仕様データは、撮像装置１０，端末装置４０，外部サーバ６０のいずれかに一箇所に保存されていればよい。
【００９７】
つまり、黒板仕様データが撮像装置１０のみにある場合には、そのまま撮像装置１０にて使用し、都度、端末装置４０へと転送し、両者で連携して使用する形態となる。
【００９８】
また、黒板仕様データが端末装置４０のみにある場合は、端末装置４０から撮像装置１０へと必要に応じて都度転送し、両者間で連携しながら作業を進める形態となる。
【００９９】
そして、黒板仕様データが外部サーバ６０のみにある場合には、撮像装置１０若しくは端末装置４０の一方が外部サーバ６０からダウンロードし、これを撮像装置１０若しくは端末装置４０の他方へと転送し、両者間で連携しながら作業を進める形態となる。
【０１００】
一方、黒板仕様データ５２を作成した後、第２使用形態では、端末装置４０を事務所に置いたまま、黒板仕様データを転送保存済みの撮像装置１０のみを現場に持ち出して使用する形態である。
【０１０１】
この場合、黒板仕様データ５２は、事務所にて作成した後、予め撮像装置１０に対して転送し、当該撮像装置１０の記録部２０に記録しておくことが必要である。
【０１０２】
しかし、第２使用形態においては、撮像装置１０がネットワーク７０（インターネット）を介して外部サーバ６０と通信が可能であれば、黒板仕様データは、必ずしも撮像装置１０に転送しておく必要はない。例えば、黒板仕様データを撮像装置１０に転送せずに、現場へ出かけてしまったとしても、当該黒板仕様データは、現場において撮像装置１０を用いて外部サーバ６０からダウンロードすることができる。この場合、撮像操作の都度、ダウンロードしてもよいし、必要とする複数の黒板仕様データを一括してダウンロードしてもよい。
【０１０３】
なお、説明の煩雑化を避けるために、撮像装置１０と端末装置４０の設定は、以下のような条件にあるものとする。
【０１０４】
まず、第１使用形態の場合には、端末装置４０に黒板仕様データが保存されているものとする。また、第２使用形態の場合には、撮像装置１０に黒板仕様データが保存されているものとする。したがって、以下の説明においては、第１使用形態及び第２使用形態のいずれの場合にも、現場では、撮像装置１０若しくは端末装置４０を使っての外部サーバ６０への接続操作を行わないものとする。
【０１０５】
ここで、現場の状況は、図３に示すような状況を想定する。即ち、対象記録工事等の現場に記録対象物３００がある場合において、第１使用者１０１は、撮像装置１０を保持して、当該記録対象物３００の撮像動作を行う。また、第２使用者１０２は、端末装置４０を保持して、第１使用者１０１の撮像動作を補佐する。
【０１０６】
この場合において、第１使用形態では、第１使用者１０１（撮像装置１０）と第２使用者１０２（端末装置４０）とが現場に存在する場合である（図３の符号Ａ）。一方、第２使用形態では、第１使用者１０１（撮像装置１０）のみが現場に存在する場合である（図３の符号Ｂ）。
【０１０７】
なお、図３においては、第１使用形態の場合に、二名の使用者（１０１，１０２）がそれぞれ撮像装置１０と端末装置４０とを保持して使用する状況を示しているが、この形態に限られることはない。例えば、第１使用形態の場合であっても、使用者を一名のみとし、この一名の使用者が撮像装置１０と端末装置４０とを交互に使用するといった形態として考えてもよい。
【０１０８】
現場において、第１使用形態の場合は、まず、第１使用者１０１は、撮像装置１０を起動させて、これを記録対象物３００に向ける。すると、撮像装置１０の表示部１７には、通常のライブビュー画像が表示される。
【０１０９】
これと同時に、第２使用者１０２は、端末装置４０を操作して、記録対象物３００に対応する黒板仕様データを表示部４２に表示させると共に、当該黒板仕様データを、端末装置４０から撮像装置１０へと転送する操作を行う。即ち、この場合には、所望の記録対象物の撮像動作を行う毎に、都度、対応する黒板仕様データを端末装置４０から取得するという操作を繰り返すことになる。
【０１１０】
すると、撮像装置１０の表示部１７においては、転送されてきた黒板仕様データに基く黒板画像２０２が、ライブビュー画像に重畳した形態で表示される。図５は、このときの撮像装置１０の表示部１７に表示されるライブビュー画像表示の一例である。
【０１１１】
一方、現場において、第２使用形態の場合は、まず、第１使用者１０１が撮像装置１０を操作して、記録対象物３００に対応する黒板仕様データを選択する。すると、その黒板仕様データに基く黒板画像（簡略版）が、予め設定された位置に、予め設定されたサイズでライブビュー画像に重畳表示される。この場合の撮像装置１０の表示部１７の表示は、図５に示す一例と同様である。
【０１１２】
ここで、撮像装置１０側において表示される黒板画像２０２は、図５に示すように、所定の黒板仕様データに対応する特定番号を付した枠画像のみからなる簡略化された表示形態である。
【０１１３】
撮像装置１０において、黒板仕様データに基く黒板画像の表示形態を、このような簡略化形態としているのは、撮像装置１０の表示部１７が小型であるので、これに詳細情報を全て表示させたとしても表示画面上では判別し得ない場合があるという第１の理由と、黒板仕様データに含まれる全ての情報を読み込んで表示させるためには撮像装置１０の画像処理部１２や表示制御部２４等、画像表示に関わる回路部にとって過負荷となることから、これらの回路部への負荷を軽減するために表示の際の情報量を低減するという第２の理由とがある。
【０１１４】
このとき、撮像装置１０の第１使用者１０１は、表示された黒板画像２０２が記録対象物３００に対応する正しい黒板仕様データに対応するものであるかどうかは、上記黒板画像２０２に表示される特定番号で判別できる。つまり、この特定番号に対応する画像仕様データの内容は、第２使用者１０２の保持する端末装置４０によって表示させて確認することができる。また、撮像装置１０においても、例えば、図３の表示中に黒板画像２０２に対応する表示画面上の領域をタップ操作するか、又はＯＫボタン（不図示）等の所定の操作部材を操作することによって、当該表示中の黒板画像２０２に関する詳細情報が表示部１７の表示画面全体を使って確認し得る表示形態に切り換えることができる。そして、その確認表示は、所定の操作部材に対するワンアクション操作等によって、即座に図５の表示状態へと復帰させることができる。
【０１１５】
続いて、第１使用者１０１は、撮像装置１０の表示部１７のライブビュー画像を見ながら、当該表示画面中における黒板画像２０２の位置や大きさ等を、調整する操作を行う。この調整操作は、第１使用形態，第２使用形態に共通する作業である。
【０１１６】
即ち、この調整操作は、例えば表示画面中において黒板画像２０２が記録対象物３００を隠したりしないような位置や大きさであるかを考慮して、黒板画像２０２の調整を行う操作である。この調整操作は、撮像装置１０の操作部１８における所定の操作部材若しくはタッチパネル等を用いて行われる。なお、第１使用形態では、第１使用者１０１による当該調整操作中、第２使用者１０２は待機している。
【０１１７】
なお、この調整操作中においては、例えば表示画面中における黒板画像２０２の枠サイズ（黒板画像サイズともいう）の設定が、設定済みの記録画像サイズに比べて小さくし過ぎてしまうことがある。
【０１１８】
この場合、設定されている記録画像サイズによっては、黒板画像２０２の分解能（黒板画像中に記載される各種情報（文字情報）の識別能力）が低下することになる。このことを考慮して、本実施形態の撮像装置１０においては、記録画像サイズの設定に応じて、黒板画像サイズの最小値が規定されている。そして、上記調整操作の際に、黒板画像２０２のサイズについての設定変更を行った結果、設定された黒板画像２０２の枠画像サイズ情報が規定された最小サイズ値を下回った場合（小さくし過ぎた場合）には、撮像装置１０の表示部１７において、図６に示すような警告表示２１１ａ，２１１ｂが行なわれる。
【０１１９】
ここで、図６の警告表示２１１ａは、黒板画像サイズが不適切である旨を示す表示例であって、黒板画像２０２の枠画像領域を打ち消すような斜線を表示する例を示している。また、図６の警告表示２１１ｂは、黒板画像サイズが不適切である旨を、文字列によって示す表示した例である。
【０１２０】
このような警告表示は、例えば、分解能判定部２３による判定結果を受けて表示制御部２４が行う表示制御である。ここで、表示制御部２４は、上記警告表示を行うと同時に、さらに加えて、黒板画像サイズの再設定操作を促す表示を行うようにしてもよい。
【０１２１】
このような調整操作が行われると、その調整結果を反映した新たな黒板仕様データが生成されて、この新たな黒板仕様データが旧データを更新し、新黒板仕様データが撮像装置１０の記録部２０に記録される。
【０１２２】
また、ここで、画面設定（縦位置か横位置かの設定）についても、現場の状況に合わせて変更してもよい。本実施形態の撮像装置１０は、撮像動作の実行時の姿勢を自動的に検出するセンサ部１６を有している。したがって、撮像動作が実行された時のセンサ部１６による姿勢検出結果に対応する画面設定（縦位置か又は横位置設定）が、予め指定されている画面設定に対して異なる設定である場合（具体的には例えば縦位置設定が指定されているときに横位置での撮像動作が実行された場合など）には、黒板仕様データのうち画面設定に関するデータが自動的に更新される。
【０１２３】
なお、上述のように現場において、撮像動作前の調整を行う際に、予め指定された画面設定に対して異なる画面設定での撮像動作を実行するときには、黒板画像の位置やサイズについても、設定画面に合わせて適切な位置及びサイズとなるように自動的に表示が切り換わる。使用者は、これを見ながら、適宜微調整を行えばよい。
【０１２４】
このようにして黒板画像２０２の調整が済んだら、第１使用者１０１は、撮像装置１０による画像取得操作（撮像操作）を実行する。これを受けて撮像装置１０は、通常の画像取得動作を実行する。すると、通常の画像データが取得される。そして、この取得画像データは、記録部２０に記録される。このとき、当該画像データには、対応する黒板仕様データが関連付けされて記録される。
【０１２５】
この場合に、画像データと対応する黒板仕様データは、それぞれが別ファイルの形態で記録されるようにしてもよいし、画像データと対応する黒板仕様データとを一体化させた一ファイルとして記録するようにしてもよい。両者を別ファイル形態で記録する場合には、例えば当該画像データのヘッダ部に付されるタグデータにおいて、これに対応する黒板仕様データが存在する旨の情報を付加する等により関連付けを行えばよい。また、両者を一ファイルとして記録するには、例えば黒板仕様データを画像データのヘッダ部に含めて記録するようにすればよい。
【０１２６】
ここで、撮像装置１０によって取得された複数の画像データは、関連付けがなされた黒板仕様データの任意の項目（例えば日付，工事名，対象物名等）情報に基いて生成される複数のフォルダに対して分類され、各対応するフォルダに記録されるようにしてもよい。
【０１２７】
なお、第１使用形態では、調整済みの新たな黒板仕様データは、撮像装置１０側において画像データと共に記録される。これと同時に、当該新黒板仕様データ及び対応する画像データはセットとして、撮像措置１０から端末装置４０へと転送される。これにより、端末装置４０側の黒板仕様データも更新される。
【０１２８】
そして、端末装置４０においては、転送された画像データとこれに対応する黒板仕様データとに基いて所定の画像合成処理が行われる。これにより、黒板画像付きの合成画像データが生成され、これに基く画像が表示部４２に表示される。このときの端末装置４０の表示部４２に表示される黒板画像付き合成画像の表示例を図７に示している。
【０１２９】
このように、第１使用形態の場合には、現場において、撮像装置１０と端末装置４０とを連携させながら、複数の画像データの取得と、複数の合成画像データの作成を行う。また、第２使用形態の場合には、現場において、撮像装置１０を用いて、複数の画像データの取得と、各画像データに対応する黒板仕様データの関連付け処理を行なう。
【０１３０】
こうして、現場における一連の撮像動作を終えた後は、第１使用形態の場合は、撮像装置１０と端末装置４０とを事務所に持ち帰る。また、第２使用形態の場合は、撮像装置１０を事務所に持ち帰る。
【０１３１】
事務所においては、上述のようにして現場にて取得された複数の画像データに対する整理作業を行う。この整理作業は、当該撮像システム１を使用して対象記録工事等の記録操作が現場にて行われた後に行う取得画像データ等の整理作業である（図２参照）。
【０１３２】
第１使用形態の場合、取得した複数の画像データと、これに各対応し関連付けされた複数の黒板仕様データと、さらに、これらに基いて（現場にて撮像動作の都度、）合成処理されて作成した複数の合成画像データとが、端末装置４０の記録部４４に記録されている。
【０１３３】
また、第２使用形態の場合には、取得した複数の画像データと、これに各対応し関連付けされた複数の黒板仕様データとが、撮像装置１０の記録部２０に記録されている。
【０１３４】
したがって、事務所においては、第１使用形態の場合、端末装置４０を用いて所望の画像データを表示させれば、その表示された画像データに関連付けされた黒板仕様データが自動的に読み出されて、画像データ内の指定された位置に重畳表示される。若しくは、単に現場で自動的に作成された合成画像データをそのまま表示させればよい。
【０１３５】
この合成画像データと、対応する黒板仕様データに含まれる各種の情報に基づいて、図８に示すような記録報告書等の文書（ドキュメント）が自動的に作成される。こうして作成された記録報告書については、使用者は、任意に、所望する項目に対して所望の情報を付加入力（書き加える）こともできる。その付加入力操作は、端末装置４０の操作部４３を用いて行う。
【０１３６】
なお、上記記録報告書等とは、例えば予め規定された形態（フォーマット）を備えた報告書形式の文書等を想定している。
【０１３７】
こうして作成された記録報告書のデータは、例えば端末装置４０の記録部４４に記録されると共に、外部サーバ６０へアップロードしておいてもよい。
【０１３８】
また、事務所において、第２使用形態の場合には、まず、使用者は、撮像装置１０から端末装置４０（事務所に置いてあった）へと、取得した複数の画像データと、これに各対応し関連付けされた複数の黒板仕様データとを通信手段７１を介して転送する。
【０１３９】
その後、端末装置４０において所定の整理作業を行う。以降の整理作業は、上述の第１使用形態で説明したものと同様である。
【０１４０】
本実施形態の撮像装置１０と、この撮像装置１０を適用する撮像システム１を用いて行われる記録対象工事等の記録，分類，整理作業は、簡略に説明すると、記録対象工事等にある複数の記録対象物について予め立案した計画（黒板仕様データ）に沿って複数の黒板仕様データを予め作成しておき、上記複数の黒板仕様データにそれぞれ対応する複数の画像データを取得する際には、各画像データに対応する黒板仕様データを関連付けして記録し、こうして取得した複数の画像データと、これら複数の画像データのそれぞれに関連付けられた複数の黒板仕様データとに基いて複数の黒板画像付き合成画像データを生成し、生成された複数の黒板画像付き合成画像データを、各黒板仕様データの所定の項目に基づいて分類し、別々のフォルダに振り分けて記録し、さらに、上記複数の黒板画像付き合成画像データと、これらに各対応する黒板仕様データ等に基いて記録報告書等の文書を作成する。
【０１４１】
なお、本実施形態の撮像装置１０は、撮像装置１０による画像データの取得操作時には、撮像部１３に含まれる撮像素子（不図示）によって都度取得される画像データ（ライブビュー画像を表示させる各データ）から、対象物の寸法値を算出することができるように構成されている。
【０１４２】
図９は、本実施形態の撮像装置において、取得される画像データから対象物の寸法値を算出する場合の概念図である。
【０１４３】
ここで、撮像部１３により取得された画像データより対象物の寸法値を算出するためには、撮像部１３により取得された画像データ（記録済みの画像データ若しくはライブビュー表示用画像データ）から算出される対象物に関する情報（例えば撮像画面上における対象物の寸法値Ｘ等：図９参照）と、撮像装置仕様データ５３に含まれる各種の情報（例えばレンズユニット３１の焦点距離Ｆ，画角φ，撮像部１３の撮像素子の受光面サイズＸ０等：図９参照）と、ＡＦ動作によって得られる各種の情報（例えば撮像装置１０から対象物３００までの距離Ｄ等：図９参照）等に基づいて、対象物のサイズＷ（図９参照）は（１）式により算出することができる。
【０１４４】
Ｗ＝Ｄ・Ｘ／Ｆ  …  （１）
なお、上記画角φは、（２）式により算出することができる。
【０１４５】
φ≒ａｒｃｔａｎＸ０／Ｆ  …  （２）
このようにして算出されたサイズＷは、黒板仕様データに含まれる各種の情報（例えば、予め工事設計図面データ６１等から抽出された特定の記録対象物の設計寸法値等）と比較することにより、当該対象物が設計通りに築造されているか否かの確認を行うことができる。
【０１４６】
したがって、本実施形態の撮像装置１０は、対象物の画像データを取得することによって、当該記録対象工事等が設計通りに実行されているか否かの確認を行うことができる。
【０１４７】
そのために、例えば撮像装置１０の画像処理部１２内に、画像データから算出される対象物のサイズＷと対象物のサイズの設計値との比較結果を判定するための判定部を、さらに設けてよい。
【０１４８】
次に、上述した本実施形態の撮像装置と、この撮像装置を適用する撮像システムの作用を、図１０〜図１４の各フローチャートを用いて以下に説明する。
【０１４９】
図１０は、本発明の一実施形態の撮像システムにおいて行われる資料作成シーケンスのフローチャートである。
【０１５０】
図１１は、本発明の一実施形態の撮像システムにおける撮像装置の作用を示すフローチャートである。
【０１５１】
図１２は、本発明の一実施形態の撮像システムにおける端末装置の作用を示すフローチャートである。
【０１５２】
図１３は、図１２のステップＳ５２にて分岐した先のフローチャートである。
【０１５３】
図１４は、図１２のステップＳ５８にて分岐した先のフローチャートである。
【０１５４】
まず、本実施形態の撮像システム１において行われる資料作成シーケンスの流れを、図１０を用いて以下に説明する。
【０１５５】
まず、ここで、本実施形態の撮像システム１は、図２に示すような状態にあるものとする。その状態において、撮像装置１０と端末装置４０と外部サーバ６０とは、いずれも稼働状態にあるものとする。また、撮像装置１０と端末装置４０とは、通信手段７１を介して互いの間でデータの送受信を行ない得る状態にあるものとする。そして、端末装置４０と外部サーバ６０とは、ネットワーク７０を介して互いの間でデータの送受信を行ない得る状態にあるものとする。
【０１５６】
この状態において、図１０のステップＳ１１において、端末装置４０の制御部（不図示）は、端末側第１通信部４１を監視して、ボディ側第２通信部１９との通信を行うことができるように、所定の待機モードで動作している。
【０１５７】
次のステップＳ１２において、端末装置４０の制御部（不図示）は、所定の設計図面データを取得するか否かの確認を行う。ここで、当該設計図面データを取得する場合には、次のステップＳ１３の処理に進む。また、当該設計図面データを取得する必要がない場合には、ステップＳ１５の処理に進む。
【０１５８】
ステップＳ１３において、端末装置４０の制御部（不図示）は、詳述の処理にて取得した設計図面データを用いて一連の撮像計画を作成する。
【０１５９】
続いて、ステップＳ１４において、端末装置４０の制御部（不図示）は、上述の処理にて作成された撮像計画に基づいて、必要となる複数の画像データに対応する複数の黒板仕様データの作成を行う。こうして作成された複数の黒板仕様データは、撮像装置１０に対し、通信手段７１を介して転送される。なお、この転送処理は、場合によっては省略することも可能である。
【０１６０】
ステップＳ１５において、端末装置４０の制御部（不図示）は、ドキュメント作成モードを実行するか否かの確認を行う。ここで、ドキュメント作成モードを実行する場合には、次のステップＳ１６の処理に進む。また、ドキュメント作成モードを実行しない場合には、上述のステップＳ１１の処理に戻って待機する。
【０１６１】
ステップＳ１６において、端末装置４０の制御部（不図示）は、関連画像を表示する処理を行う。ここで関連画像とは、例えば取得済み画像データと、対応する黒板仕様データとに基づいて作成された合成画像データにより表示される画像等である。
【０１６２】
続いて、ステップＳ１７において、端末装置４０の制御部（不図示）は、上記関連画像と、この関連画像に対応する各種の情報と基づいて、所定のドキュメント作成処理を実行する。ここで、作成されるドキュメントデータは、上述した記録報告書等の文書である。所定のドキュメントが作成された後は、当該ドキュメントの記録処理が行なわれる。
【０１６３】
同処理ステップにおいては、さらに続けて、当該ドキュメントについて、オンライン提出処理等を行うようにしてもよい。ここで、オンライン提出処理とは、当該端末装置４０から上記ネットワーク７０を介して、例えば担当役所若しくは取引先会社等にある他の端末装置への転送処理である。これら一連の処理が終了すると、上述のステップＳ１１の処理に戻って待機する。
【０１６４】
なお、本実施形態においては、資料作成シーケンスとして、黒板仕様データ作成処理（Ｓ１２〜Ｓ１４）と、ドキュメント作成処理（Ｓ１６，Ｓ１７）とを明示したのみであるが、これらに限ることはない。他の処理がある場合には、上述のステップＳ１５の処理において、さらに他の処理へと分岐させるようなシーケンスとすればよい。
【０１６５】
次に、本発明の一実施形態の撮像システムにおける撮像装置の作用を、図１１のフローチャートによって以下に説明する。
【０１６６】
まず、撮像装置１０は、例えば電源オン状態とされて使用可能な状態で起動しているものとする。そして、このとき、撮像装置１０の制御部（不図示）は、図１１のステップＳ２１に示すように、他の機器、例えば端末装置４０等との間での通信待機処理をバックグランドで起動させている。つまり、撮像装置１０は、起動時には、バックグランドで通信を常に待機する動作モードを持つ。もちろん、この動作モードは、常に切り状態とすることも可能である。即ち、撮像装置１０における通信動作モードは、必要に応じてオンオフできる。
【０１６７】
次いで、ステップＳ２２において、撮像装置１０の制御部（不図示）は、通信相手とすべき他の機器（ここでは端末装置４０とする）を特定する設定がなされているか否かの確認を行う。ここで、通信相手機器（端末装置４０）を特定する設定がなされていないことが確認された場合には、ステップＳ２３の処理に進む。また、通信相手機器（端末装置４０）を特定する設定がなされていることが確認された場合には、次のステップＳ２６の処理に進む。
【０１６８】
上記ステップＳ２２において通信相手の設定が確認されずにステップＳ２３に進むと、このステップＳ２３において、撮像装置１０の制御部（不図示）は、通信相手の設定操作を行うかどうかの確認を行う。ここで、通信相手の設定操作を行う場合には、ステップＳ２４の処理に進む。また、通信相手の設定操作を行わない場合には、上述のステップＳ２１の処理に戻る。
【０１６９】
ステップＳ２４において、撮像装置１０の制御部（不図示）は、通信相手設定のための所定の設定手続き処理が実行される。その後、ステップＳ２５の処理に進む。
【０１７０】
ステップＳ２５において、撮像装置１０の制御部（不図示）は、上述のステップＳ２４の処理でなされた通信相手設定処理の設定処理結果を、所定の記憶部（例えば不図示の内部メモリ等）に記憶する。その後ステップＳ２１の処理に戻る。
【０１７１】
一方、上記ステップＳ２２において通信相手の設定が確認されてステップＳ２６に進むと、このステップＳ２６において、撮像装置１０の制御部（不図示）は、当該撮像装置１０の動作モードが撮像モードであるか否かの確認を行う。ここで、撮像装置１０の動作モードが撮像モードである場合には、次のステップＳ２７の処理に進む。また、撮像装置１０の動作モードが撮像モード以外の動作モードに設定されている場合には、ステップＳ４１の処理に進む。
【０１７２】
ステップＳ２７において、撮像装置１０の制御部（不図示）は、撮像部１３を制御して画像取得処理を実行すると同時に、ボディ側第１通信部１５を制御してレンズ側通信部３４との通信を行うと共に、レンズ制御部１４を介してＡＦ部３２，ズーム部３３の駆動制御を行なう。そして、撮像装置１０の制御部（不図示）は、表示制御部２４を介して表示部１７を制御してライブビュー画像表示処理を実行する。
【０１７３】
さらに、これらの処理と同時に、必要に応じて所定の動作を実行する。ここで、所定の動作とは、例えば画像判定処理や測定処理等を必要に応じて実行し、それらの処理結果を取得する。
【０１７４】
上記画像判定処理は、撮像部１３の撮像素子により取得される画像データと、黒板仕様データとを参照し、画像データ内の主要被写体が、所望の記録対象物であるか否かを判定する処理である。
【０１７５】
上記測定処理は、撮像部１３の撮像素子により取得される画像データと、当該撮像装置１０の基本情報（レンズ焦点距離，素子サイズ，画角等の情報）と、ＡＦ動作によって得られる対象物までの距離情報等に基づいて、当該画像データ中に形成される対象物の所定の部位の寸法を算出する処理である。その測定結果のデータは、記録部２０等の所定の領域に記憶される。
【０１７６】
続いて、ステップＳ２８において、撮像装置１０の制御部（不図示）は、撮像動作を行うべき対象物の選択を行う。
【０１７７】
ステップＳ２９において、撮像装置１０の制御部（不図示）は、上述のステップＳ２８にて選択された対象物に対応する黒板仕様データに含まれる黒板画像のデータが存在するか否かの確認をする。ここで、対応する黒板画像のデータが存在していることが確認されると、次のステップＳ３０の処理に進む。また、対応する黒板画像のデータが存在しない場合には、ステップＳ３０をスキップして、ステップＳ３１の処理に進む。
【０１７８】
ステップＳ３０において、撮像装置１０の制御部（不図示）は、センサ部１６からの出力に基づいて検出される姿勢情報や、予め設定され各種の情報（例えば表示画面内における黒板画像の設定位置や、黒板画像の大きさ等の情報）を有する黒板仕様データに基づいて作成される各種各様の形態の黒板画像を表示する。これと共に、使用者が操作部１８を操作することによって、黒板画像に対する各種の設定変更（主に画面内における位置やサイズ変更等）が行われる。
【０１７９】
ステップＳ３１において、撮像装置１０の制御部（不図示）は、上述のステップＳ３０における設定変更が可能であるか否かの確認を行う。ここで、設定変更が可能である場合には、ステップＳ３２の処理をスキップして次のステップＳ３３の処理に進む。また、設定変更が不可能である場合には、次のステップＳ３２の処理に進む。
【０１８０】
ここで、設定変更の可否は、例えば黒板画像のサイズに関する設定変更等である。上述したように、表示画面内における黒板画像サイズが、撮像装置１０において設定されている記録画像サイズの設定に対して不適切（例えば小さ過ぎる等）である場合に設定変更は不可能である（無効である）旨の判定が行われる。
【０１８１】
ステップＳ３２において、撮像装置１０の制御部（不図示）は、上述のステップＳ３０の処理にて行われた設定変更操作が不可能である旨の警告表示を実行する。ここで行われる警告表示の一例としては、例えば図６に示すような警告表示である。
【０１８２】
続いて、ステップＳ３３において、撮像装置１０の制御部（不図示）は、撮像動作を開始する指示信号が生じたか否かの確認を行う。ここで、撮像動作開始指示信号は、例えばシャッターレリース操作部材の操作によって発生するシャッターレリース信号の発生等である。上述のステップＳ３２の処理にて警告表示が表示されたら、使用者は、当然ながら撮像動作開始指示を行わない。即ち、撮像動作開始指示信号の発生が確認された場合には、ステップＳ３４の処理に進む。また、同撮像動作開始指示信号の発生が確認されない場合には、ステップＳ２１の処理に戻り、以降の処理を繰り返す。
【０１８３】
撮像動作開始指示信号の発生が確認されてステップＳ３４の処理に進むと、このステップＳ３４において、撮像装置１０の制御部（不図示）は、所定の撮像動作処理を実行する。この撮像動作処理は、従来一般の撮像装置で行われる処理と同様である。
【０１８４】
続いて、ステップＳ３５において、撮像装置１０の制御部（不図示）は、現在設定されている黒板仕様データについて、上述のステップＳ３４の撮像動作処理にて取得される画像データに関連付けるための所定のデータ処理を行う。この所定のデータ処理とは、例えば、黒板仕様データの内容を、画像データのヘッダ部に付すタグデータの作成処理等である。
【０１８５】
続いて、ステップＳ３６において、撮像装置１０の制御部（不図示）は、上述のステップＳ３４の撮像動作処理にて取得された画像データと、現在設定されている黒板仕様データとを関連付けてファイル化する画像ファイル化処理を実行する。ここで、画像ファイル化は、例えば画像データと黒板仕様データとを関連付けされた別ファイルとして記録する形態のほか、画像データと黒板仕様データとを一つのファイルとして記録する形態、画像データと黒板仕様データを合成して合成画像データとして記録する形態等、様々なファイル形態がある。合成画像データを記録した際には、合成画像に対して、照合情報作成部２５で照合情報を作成し、合成画像データに関連付けて記録する事で、合成画像データの改竄を検証する照合情報を取得し、検証することができる。その後、上述のステップＳ２１の処理に戻り、以降の処理を繰り返す。
【０１８６】
一方、上述のステップＳ２６の処理にて、当該撮像装置１０の動作モードが撮像モード以外の動作モードに設定されている場合に、ステップＳ４１の処理に進むと、このステップＳ４１において、撮像装置１０の制御部（不図示）は、撮像装置１０の動作モードが再生・通信モードに設定されているか否かの確認を行う。ここで、撮像装置１０の動作モードが、再生・通信モードではない場合には、上述のステップＳ２１の処理に戻る。
【０１８７】
なお、上述の図１１の処理シーケンスでは、再生・通信モードではない場合には、ステップＳ２１の処理に戻るように構成した例を示しているが、この形態に限られることはない。例えば、撮像装置１０が再生・通信モード以外のその他の動作モードを持っていれば、当該その他の動作モードに移行するようにすればよい。
【０１８８】
上述のステップＳ４１の処理にて、撮像装置１０が再生・通信モードである場合にステップＳ４２の処理に進むと、このステップＳ４２において、撮像装置１０の制御部（不図示）は、記録部２０に記録された複数の画像データについての一覧表示を、表示部１７を用いて行う。ここで、使用者は、表示部１７に表示中の一覧表示に対して所定の操作を行って、所望の画像データを選択する選択操作を行うことになる。
【０１８９】
次のステップＳ４３において、撮像装置１０の制御部（不図示）は、使用者による選択操作が行われることによって、所定の選択信号が発生したか否かの確認を行う。ここで、所定の選択信号の発生が確認されると、次のステップＳ４４の処理に進む。また、所定の選択信号の発生が確認されない場合は、ステップＳ４５の処理に進む。
【０１９０】
ステップＳ４４において、撮像装置１０の制御部（不図示）は、所定の選択信号に対応する画像データに基く画像（選択画像）を表示部１７に表示させる選択画像再生処理を実行する。
【０１９１】
ステップＳ４５において、撮像装置１０の制御部（不図示）は、通信要求信号が確認されている場合には、再生表示中の選択画像の画像データを端末装置４０へと送信する。なお、ここで、通信要求信号が確認されない場合は、次のステップＳ４６の処理に進む。
【０１９２】
ステップＳ４６において、撮像装置１０の制御部（不図示）は、本処理シーケンスを終了する旨の指示信号（終了指示信号という）、例えば再生・通信モードから他の動作モードへの切換信号等の発生を確認する。ここで、終了指示信号が確認されると、上述のステップＳ２１の処理に戻る。また、終了指示信号が確認されない場合は、上述のステップＳ４３の処理に戻って、以降の処理を繰り返す。
【０１９３】
なお、図面の煩雑化を避けるために図示を省略しているが、上述のステップＳ４６の処理にて、終了指示信号として、例えば電源状態のオフ信号が確認されたような場合には、当該撮像装置１０の一連の処理シーケンスを終了する。
【０１９４】
次に、本発明の一実施形態の撮像システムにおける端末装置の作用を、図１２〜図１４のフローチャートによって以下に説明する。
【０１９５】
まず、端末装置４０は、例えば電源オン状態とされて使用可能な状態で起動しているものとする。そして、このとき、撮像装置１０の制御部（不図示）は、図１２のステップＳ５１に示すように、表示部４２の表示画面上に動作可能な各種の動作モードの一覧を表示している。
【０１９６】
ステップＳ５２において、端末装置４０の制御部（不図示）は、各種の動作モードのうちカメラモードが選択されたか否かの確認を行う。ここで、カメラモードとは、撮像装置１０との間で通信を行い、当該撮像装置１０と連携して各種の動作を実行処理する動作モードである。なお、以下の説明においては、簡略化のために撮像装置１０を単にカメラと呼称する場合がある。
【０１９７】
上記ステップＳ５２において、カメラモードが選択されたことが確認されると、次のステップＳ５３の処理に進む。また、同ステップＳ５２において、カメラモード以外が選択されたことが確認されると、図１３の処理シーケンス（ステップＳ７１の処理）に進む（図１２，図１３の符号１３Ａ参照）。
【０１９８】
ステップＳ５３において、端末装置４０の制御部（不図示）は、通信相手としての特定の撮像装置１０が既に指定されている否かの確認を行う。この処理は、図１１のステップＳ２２の処理に対応する。ここで、撮像装置１０が既に指定済みであることが確認されると、次のステップＳ５５の処理に進む。また、撮像装置１０が指定されていない場合には、ステップＳ５４の処理に進む。
【０１９９】
ステップＳ５４において、端末装置４０の制御部（不図示）は、使用者による所定の操作を受けて通信相手とする特定の撮像装置１０を指定するための操作を行う。この指定操作は、例えば当該端末装置４０と撮像装置１０との間に通信を確立するための通信接続設定（例えば接続ＩＤやパスワード等）の入力操作である。使用者による通信接続設定のための情報入力操作が完了すると、端末装置４０の制御部（不図示）は、これらの情報を電子データとして記録部４４内の所定の領域等に記録する。その後、ステップＳ５３の処理に戻る。
【０２００】
次いで、ステップＳ５５において、端末装置４０の制御部（不図示）は、指定済みの特定の撮像装置１０に対し通信手段７１を介して所定の通信処理を開始する。
【０２０１】
続いて、ステップＳ５６において、端末装置４０の制御部（不図示）は、指定された特定の撮像装置１０との間の通信が確立したか否かの確認を行う。ここで、両者間の通信が確立（通信ＯＫ）されると、次のステップＳ５８の処理に進む。また、両者間の通信が確立（通信ＮＧ）されなかった場合には、ステップＳ５７の処理に進む。
【０２０２】
端末装置４０と撮像装置１０との間の通信が確立できずに、ステップＳ５７の処理に進むと、このステップＳ５７において、端末装置４０の制御部（不図示）は、上記位置情報時計情報部４７を参照して、所定の時間が経過した後に、表示部４２において所定の警告表示を行う。その後、ステップＳ３２の処理に戻り、以降の処理を繰り返す。
【０２０３】
一方、上述のステップＳ５６の処理にて、端末装置４０と指定された特定の撮像装置１０との間の通信が確立したことが確認されて、ステップＳ５８の処理に進むと、このステップＳ５８において、端末装置４０の制御部（不図示）は、撮像事前処理を行うか否かの確認を行う。ここで、撮像事前処理とは、黒板仕様データの作成処理等である。この撮像事前処理を行う場合には、使用者は、端末装置４０の操作部４３から撮像事前処理を開始する旨の入力操作を行う。そうして、撮像事前処理の実行が確認されると、次のステップＳ５９の処理に進む。また、撮像事前処理を行わない場合には、図１４の処理シーケンス（ステップＳ８１の処理）に進む（図１２，図１４の符号１４Ａ参照）。
【０２０４】
ステップＳ５９において、端末装置４０の制御部（不図示）は、撮像事前処理を実行する。ここで、まず、端末装置４０の制御部（不図示）は、端末側第２通信部４６を制御してネットワーク７０経由で外部サーバ６０へとアクセスし、当該外部サーバ６０から所定の記録対象工事等に対応する工事設計図面データ６１等を取得（ダウンロード）する。
【０２０５】
続いて、ステップＳ６０において、端末装置４０の制御部（不図示）は、記録対象物が指定されたか否かの確認を行う。ここで、使用者は、上述のステップＳ５９の処理にて取得した工事設計図面データ６１等を参照し、その中から所望の記録対象物を選択し指定する操作を行うことになる。そして、記録対象物の指定がなされたことが確認されると、次のステップＳ６１の処理に進む。また、記録対象物の指定がなされない場合は指定入力を待機する。
【０２０６】
次いで、ステップＳ６１において、端末装置４０の制御部（不図示）は、上述のステップＳ６０の処理にて指定された記録対象物に関する黒板仕様データの作成等を行なう。ここで作成される黒板仕様データは、上記工事設計図面データ６１から所定の情報を取り込んで自動的に作成されるようにしてもよいし、使用者が、任意に必要とする情報を入力するようにしてもよい。
【０２０７】
上記黒板仕様データには、黒板画像のテンプレート画像データや、黒板画像の簡略版のための枠画像データ等に加え、対象とする記録対象工事等に共通の情報（工事名，所在地等の情報）と、記録対象物に固有の情報（対象物名，配置位置，サイズ等の情報）等である。
【０２０８】
また、黒板仕様データには、簡略化した黒板画像のための特定番号が含まれる。この記録対象物の特定番号は、例えば記録対象物毎に作成する黒板仕様データの作成順にナンバリングされる（番号が順次割り振られる）ようにしてもよいし、使用者が任意に入力するようにしてもよい。
【０２０９】
続いて、ステップＳ６２において、端末装置４０の制御部（不図示）は、撮像事前処理を終了するか否かの確認を行う。ここで、撮像事前処理の終了指示信号が確認されると、次のステップＳ６３の処理に進む。また、撮像事前処理の終了指示信号が確認されない場合は、ステップＳ６０の処理に戻り、以降の処理を繰り返す。つまり、使用者は、撮像事前処理の終了指示信号を発生させる操作を行うまでは、個々の記録対象物の指定操作と、その指定された記録対象物に関する黒板仕様データの作成作業を続けることができる。
【０２１０】
撮像事前処理の終了指示信号が確認されて、次のステップＳ６３の処理に進むと、このステップＳ６３において、端末装置４０の制御部（不図示）は、作成済みの複数の黒板仕様データを撮像装置１０へ転送するか否かの確認を行う。ここで、使用者による操作を受けて、撮像装置１０への転送処理指示信号が確認されると、次のステップＳ６４の処理に進む。また、撮像装置１０への転送処理指示信号が確認されない場合は、上述のステップＳ５２の処理に戻る。
【０２１１】
続いて、ステップＳ６４において、端末装置４０の制御部（不図示）は、各種の設定条件（禁止事項等も含む）等の情報を撮像装置１０へと送信する。その後、ステップＳ５２の処理に戻る。
【０２１２】
一方、上述のステップＳ５２の処理において、カメラモード以外が選択されたことが確認されて、図１３のステップＳ７１の処理に進むと（図１２，図１３の符号１３Ａ）、このステップＳ７１において、端末装置４０の制御部（不図示）は、上述のステップＳ５２の処理（図１２）にて選択された動作モードがドキュメント作成モードであるか否かの確認を行う。ここで、ドキュメント作成モードが選択されていることが確認されると、次のステップＳ７２の処理に進む。また、ドキュメント作成モード以外が選択されている場合は、ステップＳ７４の処理に進む。
【０２１３】
ステップＳ７２において、端末装置４０の制御部（不図示）は、使用者による操作を受けて、選択された複数の合成画像データ（現場にて取得された画像データと、この画像データに関連付けされた黒板仕様データとを合成して得られる画像データ；図７参照）を表示部４２に一覧表示させると共に、これら一連の合成画像データを一括して外部サーバ６０へと送信する処理を行う。
【０２１４】
続いて、ステップＳ７３において、端末装置４０の制御部（不図示）は、ドキュメント作成処理を実行する。このドキュメント作成処理は、例えば、選択された一連の合成画像データと、これらに関連付けされた黒板仕様データ及び対応する各種情報（工事設計図面データ等から抽出される所定の情報）とによって、予め規定された形態（フォーマット）の記録報告書（ドキュメント）を作成する処理である。この記録報告書作成処理は、所定の記録対象工事等において関連する複数の合成画像データ及び各種関連情報に基づいて一括して処理される。その後、一連の処理を終了し、上述の図１２のステップＳ５１の処理に戻る（図１３，図１２の符号１３Ｂ参照）。
【０２１５】
また、上述のステップＳ７１の処理にて、ドキュメント作成モード以外が確認された場合には、ステップＳ７４に進み、このステップＳ７４において、端末装置４０の制御部（不図示）は、例えば工事設計図面データ取得モード等のその他の動作モードを実行する。なお、これらその他の動作モードについては、本発明と直接関連しない部分であるので、その説明は省略する。その後、一連の処理を終了し、上述の図１２のステップＳ５１の処理に戻る（図１３，図１２の符号１３Ｂ参照）。
【０２１６】
他方、上述のステップＳ５８の処理において、撮像事前処理を行わない場合に、図１４のステップＳ８１の処理に進むと（図１２，図１４の符号１４Ａ参照）、このステップＳ８１において、端末装置４０の制御部（不図示）は、画像取得合成処理を実行するか否かの確認を行う。
【０２１７】
この画像取得合成処理は、撮像装置１０から取得済みの複数の画像データと、これら複数の画像データに関連付けされた複数の黒板仕様データとを取り込む処理と、これにより取り込まれた複数の画像データ及び黒板仕様データとに基づいて、所定の画像合成処理を行って黒板画像付きの合成画像データを作成する一連の処理である。
【０２１８】
ここで、画像取得合成処理を実行する指示が確認されると、次のステップＳ８２の処理に進む。また、画像取得合成処理を実行する指示が確認されない場合は、上述の図１２のステップＳ５１の処理に戻る（図１４，図１２の符号１４Ｂ参照）。
【０２１９】
ステップＳ８２において、端末装置４０の制御部（不図示）は、端末側第１通信部４１を介して撮像装置１０へアクセスして、当該撮像装置１０の記録部２０に記録済みの複数の画像データと、これら複数の画像データに関連づけされた黒板仕様データ等を一括して取り込む処理を実行する。ここで取り込まれた画像データ等は、端末装置４０における記録部４４の所定の記憶領域に記録される。
【０２２０】
この取り込み処理の完了後、さらに、端末装置４０の制御部（不図示）は、記録部４４及び表示部４２を制御して、取り込んだ複数の画像データのサムネイル一覧表示を実行する。
【０２２１】
続いて、ステップＳ８３において、端末装置４０の制御部（不図示）は、使用者が所望の画像データを選択したか否かの確認を行う。ここで、画像データの選択指示が確認されると、次のステップＳ８４の処理に進む。また、画像データの選択指示が確認されない場合は選択指示を待機する。
【０２２２】
ステップＳ８４において、端末装置４０の制御部（不図示）は、上述のステップＳ８３の処理にて選択指示された画像データを記録部４４から読み出し、表示部４２に再生表示すると共に、当該画像データに関連付けられた黒板仕様データを参照し、表示中の画像データに対して、所定の黒板画像を指定位置及び指定サイズで重畳表示する。これと同時に、画像処理部４５において当該画像データと、対応する黒板画像との合成処理を実行し、黒板画像付き合成画像データを作成する。
【０２２３】
次いで、ステップＳ８４Ａにおいて、作成された合成画像データに対して、画像処理部４５内の照合情報作成部（不図示）により、照合情報を作成し、合成画像データと関連付けて記録部４４に記録する。
【０２２４】
続いて、ステップＳ８５において、端末装置４０の制御部（不図示）は、画像取得合成処理を終了するか否かの確認を行う。ここで、画像取得合成処理の終了指示信号が確認されない場合は、上述のステップＳ８３の処理に戻り、以降の処理を繰り返す。つまり、使用者は、画像取得合成処理の終了指示信号を発生させる操作を行うまでは、合成処理するための画像データの選択操作を行って、所望の黒板画像付き合成画像データの作成作業を続けることができる。また、画像取得合成処理の終了指示信号が確認されると、一連の処理を終了し、上述の図１２のステップＳ５１の処理に戻る（図１４，図１２の符号１４Ｂ参照）。
【０２２５】
以上説明したように上記一実施形態によれば、端末装置４０においては、複数の撮像対象物に関する複数の付随情報を含む記録対象工事（記録対象イベント）に関する情報データ群に基いて個々の撮像対象物のそれぞれに対応する複数の付随情報画像（複数の黒板仕様データ）を、端末装置によって予め作成し、これら複数の付随情報画像（複数の黒板仕様データ）を撮像装置１０へと転送することによって、撮像装置１０においては、上記撮像対象物の画像データを生成する際に、その上記画像データに基く画像を表示部１７に表示すると共に、上記複数の付随情報画像のうち上記表示部１７に表示中の画像に対応する特定の付随情報画像を表示画面内の予め指定された位置に予め指定されたサイズによって重畳表示させる。
【０２２６】
そして、この状態において、撮像装置１０によって撮像動作を実行して画像データが取得されると、この取得された画像データに対応する上記付随情報画像を表す黒板画像のデータが関連付けられて記録される。
【０２２７】
こうして記録された画像データと、関連付けされた黒板画像データを端末装置４０側に転送して、当該端末装置４０側で当該画像データを表示させると、端末装置４０は、表示中の画像データと、対応する付随情報画像（黒板画像）の画像データとを合成して、合成画像データを生成し、記録する。
【０２２８】
なお、撮像装置１０において、取得した画像データと、これに対応する付随情報画像データ（黒板画像データ）とを関連付けて記録すると同時に、表示中の画像データと、対応する付随情報画像（黒板画像）の画像データとを合成して合成画像データを生成するようにもできる。
【０２２９】
この場合において、撮像装置１０において設定されている記録画像サイズに対して、関連付けされ合成されるべき黒板画像の設定サイズが不適切（例えば小さ過ぎる等）である場合には、その旨の警告表示を行うようにしている。これにより、使用者は、黒板画像の再設定操作を行うので、不適切な黒板画像を関連付けしてしまうようなことがなく、よって、失敗を抑止して、所望の合成画像データを確実に取得することができる。
【０２３０】
なお、上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。即ち、特許請求の範囲，明細書及び図面中の動作フローに関して、便宜上「まず、」、「次に、」等を用いて説明したとしても、この順で実施することが必須であることを意味するものではない。また、これらの動作フローを構成する各ステップにおいては、発明の本質に影響しない部分について適宜省略することも可能であることは言うまでもない。
【０２３１】
また、ここで説明した技術のうち、主にフローチャートで説明した制御や機能は、多くがソフトウエアプログラムにより設定可能であることが多くあり、そのソフトウエアプログラムをコンピュータが読み取り実行することで上述した制御や機能を実現することができる。そのソフトウエアプログラムは、コンピュータプログラム製品として、予め製品製造過程において上記記憶媒体や記憶部等、具体的には例えばフレキシブルディスク ＣＤ−ＲＯＭ等 不揮発性メモリ等の可搬媒体やハードディスク 揮発性メモリ等の記憶媒体に、その全体あるいは一部を記憶又は記録されている電子データである。また、これとは別に、製品出荷時又は可搬媒体或いは通信回線を介して流通又は提供が可能なものである。利用者は、製品出荷後であっても、自ら通信ネットワークやインターネット等を介して、それらのソフトウエアプログラムをダウンロードしてコンピュータにインストールしたり、あるいは記憶媒体からコンピュータにインストールすることで、動作可能にすることができ、これによって容易に本実施形態の撮像装置を実現することができる。また、撮像部と表示部は別体でも良い。この場合は撮像用の表示装置の発明となる。
【０２３２】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【０２３３】
本発明は、デジタルカメラ等の撮像機能に特化した撮像装置に限られることはなく、撮像機能を備えたその他の形態の電子機器、例えばビデオカメラ，携帯電話，スマートフォン，電子手帳，電子辞書，携帯情報端末，パーソナルコンピュータ，タブレット型端末機器，ゲーム機器，テレビ，時計，ＧＰＳ（Global Positioning System）を利用したナビゲーション機器等、撮像機能付きの各種の電子機器に対し広く適用することができる。
【符号の説明】
【０２３４】
１……撮像システム
１０……撮像装置
１１……ボディユニット
１２……画像処理部
１３……撮像部
１４……レンズ制御部
１５……ボディ側第１通信部
１６……センサ部
１７……撮像装置側表示部
１８……撮像装置側操作部
１９……ボディ側第２通信部
２０……撮像装置側記録部
２１……合成画像作成部
２２……ファイル作成部
２３……分解能判定部
２４……表示制御部
２５……照合情報作成部
３１……レンズユニット
３２……ＡＦ部
３３……ズーム部
３４……レンズ側通信部
４０……端末装置
４１……端末側第１通信部
４２……端末側表示部
４３……端末側操作部
４４……端末側記録部
４５……端末側画像処理部
４６……端末側第２通信部
４７……位置情報時計情報部
５１，６１……工事設計図面データ
５２，６２……黒板仕様データ
５３……撮像装置仕様データ
６０……外部サーバ
６３……画像データ
７０……ネットワーク
７１……通信手段
１０１……第１使用者
１０２……第２使用者
２０１……テンプレート画像
２０２……黒板画像
２１１ａ，２１１ｂ……警告表示
３００……記録対象物
【図１】
2018113013.tif 000003
【図２】
2018113013.tif 000004
【図３】
2018113013.tif 000005
【図４】
2018113013.tif 000006
【図５】
2018113013.tif 000007
【図６】
2018113013.tif 000008
【図７】
2018113013.tif 000009
【図８】
2018113013.tif 000010
【図９】
2018113013.tif 000011
【図１０】
2018113013.tif 000012
【図１１】
2018113013.tif 000013
【図１２】
2018113013.tif 000014
【図１３】
2018113013.tif 000015
【図１４】
2018113013.tif 000016